(57)【特許請求の範囲】
【請求項１】
吸込口および吹出口を有する筐体と、
前記筐体の略中央部に設けられ、前記吸込口より空気を吸い込み、該空気を放射状に吹き出す遠心型送風機と、
略ロ字状に形成され、前記遠心型送風機を囲むように、前記遠心型送風機と前記吹出口との間に配置された熱交換器と
を備え、
前記熱交換器は、
長手方向を鉛直方向にし、間隔を空けて並列に配置され、内部に冷媒流路が形成された複数の扁平管と、
前記複数の扁平管の両端部をそれぞれ接続する一対のヘッダと、
隣接する前記扁平管の間に接合されたフィンと
を備え、
前記扁平管は、扁平形状の長軸の向きが気流の流通方向を向くように配置され、風下側の一部が前記フィンの風下側端部より張り出し、該張り出した部分であって内部に前記冷媒流路が形成された部分の表面に、長手方向に沿って排水溝が形成され、
前記フィンは、当該フィンを通過する気流の風上側から風下側に向けて下り勾配となるように傾斜し、前記扁平管との接合部の風下側端部が、前記排水溝の風上側端部に接触するように配置され、当該フィンの風上側端部が、前記扁平管の風上側端部より張り出し、
前記一対のヘッダのうち、一方のヘッダの片側に冷媒が流入し、当該一方のヘッダに流入した冷媒が前記複数の扁平管を通って、他方のヘッダに流入し、当該他方のヘッダの片側から冷媒が流出する
ことを特徴とする室内機。
【請求項２】
前記一対のヘッダのうち、冷房運転時に冷媒が流入するヘッダは、前記複数の扁平管の端部が差し込まれて接続され、
当該ヘッダに前記扁平管の端部を差し込む長さを、前記冷媒の流れ方向に応じて変更した
ことを特徴とする請求項１記載の室内機。
【請求項３】
前記フィンは、波形状のコルゲートフィンであり、該波形状の折曲部が前記排水溝の風上側端部に接触するように配置された
ことを特徴とする請求項１または２に記載の室内機。
【請求項４】
前記フィンは、前記扁平管が挿入されるための切り欠き部を有するプレートフィンである
ことを特徴とする請求項１または２に記載の室内機。
【請求項５】
前記切り欠き部は、
縁部をほぼ垂直に立ち上げたフィンカラーを有し、該フィンカラーの先端が鉛直下向きとなるよう形成された
ことを特徴とする請求項４記載の室内機。
【発明の詳細な説明】
【技術分野】
【０００１】
本発明は、熱交換器を搭載した室内機に関するものである。
【背景技術】
【０００２】
従来のパラレルフロー型のヒートポンプ用室外熱交換器においては、コルゲートフィンの波型の谷線と稜線を熱交換器奥行き方向に、熱交換器奥行き方向中央部を底とする谷型形状として、その谷底部分でかつコルゲートフィンの扁平チューブとの接合部に貫通穴を設けるものが提案されている。これによれば、暖房時、除霜時にフィン面上に残る水を確実に熱交換器外に排出し、かつ、急速な着霜の進行のないヒートポンプ用室外熱交換器を提供できるとされている（例えば、特許文献１参照）。
【０００３】
また、厚さ方向に所定間隔を隔てて平行状に配置された複数本の扁平チューブと、これら扁平チューブ相互間に介在配置されたコルゲートフィンと、チューブの両端に連通接続状態に配置された一対の中空ヘッダとを備えた熱交換器において、コルゲートフィンは、風上側部分に複数個の補強リブが形成される一方、風下側部分に複数のルーバーが形成され、水切り対策として、各扁平チューブを、上下方向に沿って配置すると共に、チューブの表面にその長さ方向に沿って１ないし複数の水切り用溝を形成するものが提案されている。上記構成によれば、コルゲートフィンの風上側部分がルーバーレスとなされた従来のものと同様に、熱交換器をエバポレータ（蒸発器）として作動させた場合に着霜領域を十分に確保することができ、除霜までの運転時間を可及的長くすることができるのに加え、コルゲートフィンをフィンロール成形機で成形加工した場合でも蛇行が生じることがなくなり、コアセッティングを容易に行うことができるとされている（例えば、特許文献２参照）。
【先行技術文献】
【特許文献】
【０００４】
【特許文献１】特開２００５−０２４１８７号公報（請求項３、段落番号［００１１］、第１図）
【特許文献２】特許第３９４２２１０号公報（請求項１、段落番号［００３７］、第３図）
【発明の概要】
【発明が解決しようとする課題】
【０００５】
従来の技術ではフィン面上で結露した水を排出するため、フィンに排水路を設ける構成や扁平管に排水溝を設ける構成が示されている。しかしながら、フィンと扁平管とが接する部分に小さな排水溝を設けるため、水の表面張力で排水溝が詰まり、排水性が不十分である、という問題点があった。
また従来の技術ではフィンを水平配置しているため、結露水がフィン面上に留まりやすく、排水性が悪い、という問題点があった。
【０００６】
また、従来の技術では室内機に実装された形態は想定されていない。例えばターボファンなどの遠心型送風機の回転軸を鉛直方向に配置してその周囲に熱交換器を実装したカセット型の室内機において、熱交換器のフィンが鉛直方向に配置され伝熱管が水平方向に設置された場合、遠心型送風機から吹き出された風の旋回成分がフィン面に衝突し、空気抵抗が大きくなる、という問題点があった。
【０００７】
また、カセット型の室内機において、熱交換器の伝熱管を水平方向に設置した場合、筐体の高さの制約から冷媒パス数を増加することが困難となる。すなわち、伝熱管の段数は筐体の高さに制約されるため、冷媒パス数を伝熱管の段数以上に増加させる場合には、列方向（幅方向）に伝熱管を配置して分配器からの冷媒を分岐するか、熱交換器を水平方向（長手方向）で分割して分配器からの冷媒を分岐する必要が生じる。しかし、分岐配管のスペース確保や配管の取り回しが困難であり、また熱交換器の水平方向の長さが短くなるなどの点で現実的ではない。このように、熱交換器の伝熱管を水平配置する室内機では、冷媒パス数を増加することが困難であり、冷媒圧損の低減を図ることができない、という問題点があった。
【０００８】
また、筐体側面の吸込口に沿って熱交換器を搭載し、筐体上部の送風機で空気を吸引して上方へ吹き出すトップフロー型の室外機においては、熱交換器を通過する風量は、送風機に近い上部の方が下部よりも多くなる。このため、熱交換器の伝熱管が水平方向に設置された場合、熱交換器の上部の冷媒パスと下部の冷媒パスとで熱交換量の不均一が生じる。このため、例えば暖房運転時に上部パス出口の冷媒が過熱状態となり、下部パス出口の冷媒が気液二相状態となる不均一分配が生じることとなる。このような不均一分配は、冷媒パス数が多くなるほど顕著となるため、冷媒パス数を増加させることができず、冷媒圧損の低減を図ることができない、という問題点があった。
【０００９】
本発明は、上記のような課題を解決するためになされたもので、フィンで結露した水の排水性を向上することができる熱交換器を備えた室内機を得るものである。
また、遠心型送風機から吹き出される空気の熱交換器での通風抵抗を低減することができる室内機を得るものである。
また、冷媒パス数を増加させることができる室内機を得るものである。
【課題を解決するための手段】
【００１１】
本発明に係る室内機は、吸込口および吹出口を有する筐体と、前記筐体の略中央部に設けられ、前記吸込口より空気を吸い込み、該空気を放射状に吹き出す遠心型送風機と、略ロ字状に形成され、前記遠心型送風機を囲むように、前記遠心型送風機と前記吹出口との間に配置された熱交換器とを備え、前記熱交換器は、長手方向を鉛直方向にし、間隔を空けて並列に配置され、内部に冷媒流路が形成された複数の扁平管と、前記複数の扁平管の両端部をそれぞれ接続する一対のヘッダと、隣接する前記扁平管の間に接合されたフィンとを備え、前記扁平管は、扁平形状の長軸の向きが気流の流通方向を向くように配置され、風下側の一部が前記フィンの風下側端部より張り出し、該張り出した部分であって内部に前記冷媒流路が形成された部分の表面に、長手方向に沿って排水溝が形成され、前記フィンは、当該フィンを通過する気流の風上側から風下側に向けて下り勾配となるように傾斜し、前記扁平管との接合部の風下側端部が、前記排水溝の風上側端部に接触するように配置され、当該フィンの風上側端部が、前記扁平管の風上側端部より張り出し、前記一対のヘッダのうち、一方のヘッダの片側に冷媒が流入し、当該一方のヘッダに流入した冷媒が前記複数の扁平管を通って、他方のヘッダに流入し、当該他方のヘッダの片側から冷媒が流出するものである。
【発明の効果】
【００１３】
本発明に係る室内機は、冷媒パス数を増加させることができる。
【図面の簡単な説明】
【００１４】
【図１】実施の形態１に係る熱交換器の概略図である。
【図２】実施の形態１に係る扁平管とコルゲートフィンの位置関係を示す概略斜視図である。
【図３】実施の形態１に係る扁平管とコルゲートフィンの位置関係を示す概略平面図と概略側面図である。
【図４】実施の形態１に係る扁平管とプレートフィンの位置関係を示す概略斜視図である。
【図５】実施の形態１に係るプレートフィンの概略斜視図と概略正面図である。
【図６】実施の形態１に係る四方向カセット型室内機の縦断面図である。
【図７】実施の形態１に係るターボファンの旋回流を説明する図である。
【図８】実施の形態１に係る熱交換器の冷媒分配の現象説明図である。
【図９】実施の形態１に係る熱交換器の冷媒分配特性を示す図である。
【図１０】実施の形態１に係る扁平管の液ヘッダへの差し込み長さを説明する図である。
【図１１】実施の形態２に係るトップフロー型室外機の概観図である。
【図１２】実施の形態２に係るトップフロー型室外機の概略縦断面図と概略平面図である。
【発明を実施するための形態】
【００１５】
実施の形態１．
（熱交換器）
図１は実施の形態１に係る熱交換器の概略図である。
図１において、本実施の形態における熱交換器１００は、扁平管１、コルゲートフィン２、液ヘッダ３、ガスヘッダ４、液入口５、およびガス出口６を備えている。
この熱交換器１００は、例えば空気調和機の室内機や室外機に搭載され、熱交換器１００を通過する空気と、扁平管１内を流通する冷媒とを熱交換するものである。なお、室内機および室外機の詳細は後述する。
【００１６】
扁平管１は、長手方向が鉛直方向（重力方向）になるように、間隔を空けて並列に複数配置されている。隣接する扁平管１の間には、例えばアルミ製の波形状に加工されたコルゲートフィン２がロウ付け接合されている。液ヘッダ３は、水平方向に配置され、長手方向の側面にほぼ等間隔に複数の孔が形成されており、ここに扁平管１の一端が接続される。また、液ヘッダ３の片側には冷房運転時に冷媒が流入する液入口５が設けられており、他方側は閉塞されている。ガスヘッダ４は、水平方向に、かつ、液ヘッダ３に対向するように配置され、長手方向の側面にほぼ等間隔に複数の孔が形成されており、ここに扁平管１の一端が接続される。また、ガスヘッダ４の片側には冷房運転時に冷媒が流出するガス出口６が設けられており、他方側は閉塞されている。
【００１７】
なお、液ヘッダ３およびガスヘッダ４は、本発明における「一対のヘッダ」に相当する。
【００１８】
図２は実施の形態１に係る扁平管とコルゲートフィンの位置関係を示す概略斜視図である。
図３は実施の形態１に係る扁平管とコルゲートフィンの位置関係を示す概略平面図と概略側面図である。図３（ａ）は概略平面図であり、図３（ｂ）は概略側面図である。
図２、図３に示すように、扁平管１は、扁平形状の長軸の向きが気流の流通方向を向くように配置されている。また、扁平管１は、風下側の一部がコルゲートフィン２の風下側端部より張り出し、この張り出した部分の表面には、長手方向に沿って排水溝１１が形成されている。排水溝１１の断面形状はコ字状、半円状、Ｖ字状など任意の形状とすることができる。
コルゲートフィン２は、当該コルゲートフィン２を通過する気流の風上側から風下側に向けて下り勾配となるように傾斜して設けられている。また、コルゲートフィン２と扁平管１との接合部の風下側端部が、排水溝１１の風上側端部に接触するように配置されている。つまり、コルゲートフィン２の波形状の折曲部が排水溝１１の風上側端部に接触するように配置されている。なお、コルゲートフィン２の平面部には、伝熱促進のため、切り起こしにより形成した複数のスリット２ａが設けられている。なお、スリット２ａは省略しても良い。なお図３（ｂ）ではスリット２ａの図示を省略している。
【００１９】
上記説明では、扁平管１の間にコルゲートフィン２を設ける場合を説明したが、本発明はこれに限るものはなく、プレートフィン２１を設ける構成としても良い。プレートフィン２１を設ける構成について図４、図５により説明する。
【００２０】
図４は実施の形態１に係る扁平管とプレートフィンの位置関係を示す概略斜視図である。
図５は実施の形態１に係るプレートフィンの概略斜視図と概略正面図である。図５（ａ）は概略斜視図であり、図５（ｂ）は概略正面図である。
図４、図５に示すように、プレートフィン２１は、扁平管１が挿入されるための切り欠き部２１ａを有している。このプレートフィン２１は、扁平管１の長手方向（重力方向）に間隔を空けて積層されて空気が流通する。このようなプレートフィン２１を設ける場合においても、上述したように、通過する気流の風上側から風下側に向けて下り勾配となるように傾斜して、プレートフィン２１と扁平管１との接合部の風下側端部が、排水溝１１の風上側端部に接触するように配置されている。なお、プレートフィン２１の平面部には、伝熱促進のため、複数のスリットを設けるようにしても良い。
また、プレートフィン２１の切り欠き部２１ａは、縁部をほぼ垂直に立ち上げたフィンカラー２１ｂを有している。そして、表面で結露した水がフィンカラー２１ｂ先端に溜らないよう、フィンカラー２１ｂの先端が鉛直下向きとなるよう形成されている。
【００２１】
なお、以下の説明において、コルゲートフィン２とプレートフィン２１とを区別しないときは単に「フィン」と称する。
【００２２】
次に動作について説明する。
熱交換器１００が室内機に搭載された場合、冷房運転時は蒸発器として、暖房運転時は凝縮器として動作する。冷房運転では、液入口５から流入した気液二相冷媒が液ヘッダ３へ入り、複数の扁平管１へと分配される。扁平管１に流入した気液二相冷媒は、周囲の空気から吸熱して自身は蒸発気化し、ガスヘッダ４、ガス出口６の順に流れて室内機から流出する。
このとき、冷媒の蒸発温度が低くなる冷房定格条件などでは、フィン表面で水蒸気が結露し、水滴（結露水）が発生する。フィン表面に発生した結露水は、フィンの下り勾配により風下側へ流れる。フィンの風下側端部まで流れた結露水の一部はフィン端部から落下し、他の一部はフィン端部を伝わって排水溝１１に到達する。排水溝１１は風下側が開放しているため、排水溝１１に到達した結露水は風下側が自由表面となり、表面張力が少ない状態で重力方向に流通する。
【００２３】
以上のように本実施の形態の熱交換器においては、扁平管１は、長手方向に沿って表面に排水溝１１が形成され、フィンは、当該フィンを通過する気流の風上側から風下側に向けて下り勾配となるように傾斜し、扁平管１との接合部の風下側端部が、排水溝１１の風上側端部に接触するように配置されている。このため、フィン表面で発生した結露水を排水溝１１に導きやすくすることができる。また、排水溝１１の一端を開放（自由表面）とすることができ、結露水に対する表面張力の影響を軽減することができる。よって、結露水の排水性を向上することができる。
【００２４】
また、プレートフィン２１のフィンカラー２１ｂの先端が鉛直下向きとなるよう形成されている。このため、プレートフィン２１の表面で結露した水がフィンカラー２１ｂの先端に溜まりにくくすることができる。
【００２５】
なお、上記の説明では、熱交換器１００の扁平管１が一列の場合を説明したが、本発明はこれに限るものではなく、空気の流通方向に扁平管１を複数列設けるようにしても良い。
【００２６】
（室内機）
次に、上記熱交換器１００を搭載した室内機２００について説明する。
なお、本実施の形態では、天井埋込形の四方向カセット型室内機を例に説明するが、本発明はこれに限定されるものではない。
【００２７】
図６は実施の形態１に係る四方向カセット型室内機の縦断面図である。
図６に示すように、四方向カセット型の室内機２００は、部屋２１７に対し上方が天板２１０ａとなる向きに設置される。天板２１０ａの周りには側板２１０ｂが取り付けられ、部屋２１７に向け開口するように筐体２１０が設置される。室内機２００の下方には、平面視で略四角形状の化粧パネル２１１が取り付けられ部屋２１７に面している。化粧パネル２１１の中央付近には、室内機２００内への空気の吸込口となる吸込グリル２１１ａと、吸込グリル２１１ａ通過後の空気を除塵するフィルタ２１２とを備えている。また、化粧パネル２１１の各辺には、空気の吹出口となるパネル吹出口２１１ｂが、化粧パネル２１１の各辺に沿って形成されている。各パネル吹出口２１１ｂには、風向ベーン２１３を備えている。
【００２８】
また、室内機２００の内部には、回転軸が鉛直方向に配置された遠心型送風機であるターボファン２０１と、ターボファン２０１の吸込風路を形成するベルマウス２１４と、ターボファン２０１を回転駆動するファンモーター２１５と、ターボファン２０１の下流側に囲むように立設された熱交換器１００とを備えている。熱交換器１００は、上述したように扁平管１が鉛直方向に配置されたパラレルフロー型熱交換器であり、接続配管により図示しない室外機と接続され冷媒が循環される。また、熱交換器１００は、ターボファン２０１を囲むように略ロ字状に形成されている（図１参照）。
また、室内機２００の下面中央部にはユニット吸込口２１０ｃを有し、このユニット吸込口２１０ｃの周囲にはユニット吹出口２１０ｄを有している。そして、吸込グリル２１１ａ、ユニット吸込口２１０ｃ、ユニット吹出口２１０ｄ、および、パネル吹出口２１１ｂが連通している。
なお、上記の説明では、遠心型送風機としてターボファン２０１を用いる場合を説明したが本発明はこれに限るものではない。例えばシロッコファンやラジアルファン等を用いても良い。
【００２９】
なお、「ユニット吸込口２１０ｃ」は、本発明における「吸込口」に相当する。
また、「ユニット吹出口２１０ｄ」は、本発明における「吹出口」に相当する。
【００３０】
このように構成された室内機２００により、ターボファン２０１が回転すると、部屋２１７の空気は、化粧パネル２１１の吸込グリル２１１ａから吸い込まれ、フィルタ２１２を通過して除塵される。除塵された空気は、ユニット吸込口２１０ｃ、およびベルマウス２１４を通過後、ターボファン２０１のファン吸込口２０１ａに吸い込まれる。ターボファン２０１に吸い込まれた空気は、ターボファン２０１のファン吹出口２０１ｂから、平面視放射状に吹き出され、熱交換器１００へ向かう。熱交換器１００へ向け吹き出された空気は、熱交換器１００内の冷媒と熱交換して、暖房、冷房、または除湿等された空気となる。熱交換器１００にて、暖房、冷房、または除湿等がされた空気は、ユニット吹出口２１０ｄを通過しパネル吹出口２１１ｂから部屋２１７へ向けて吹き出されて空調が行われる。このとき風向ベーン２１３により風向が制御される。
【００３１】
ここで、熱交換器１００のフィンを通過する空気の通風抵抗について説明する。
図７は実施の形態１に係るターボファンの旋回流を説明する図である。
図７においては、平面視における熱交換器１００とターボファン２０１の配置を模式的に示している。
ターボファン２０１は回転軸に対して放射状に空気を吹き出すが、図７の矢印で示すように、その一部が法線方向に対して角度を持った旋回成分（旋回流）を含んでいる。このような旋回流は熱交換器１００との対向面に対して角度を持って熱交換器１００を通過する。
【００３２】
仮に、フィンが鉛直方向に配置された場合、遠心型送風機から吹き出された風の旋回成分がフィン面に衝突し、空気抵抗が大きくなる。
一方、本実施の形態においては、フィンが水平方向に配置されている。すなわち、フィン面がターボファン２０１の回転軸に対して直交する方向に配置されている。このため、熱交換器１００を通過する空気の通風抵抗を抑えることができる。よって、フィンを鉛直方向に配置した場合と比較して、大風量、低騒音の効果が得られる。
【００３３】
以上のように本実施の形態の室内機においては、ユニット吸込口２１０ｃおよびユニット吹出口２１０ｄを有する筐体２１０と、筐体２１０の略中央部に設けられ、ユニット吸込口２１０ｃより空気を吸い込み、該空気を放射状に吹き出すターボファン２０１と、ターボファン２０１とユニット吹出口２１０ｄとの間に配置された熱交換器１００とを備えている。また熱交換器１００は、扁平管１の長手方向を鉛直方向に配置している。
このため、熱交換器１００の長手方向（ヘッダが延びる方向）に多数の扁平管１を配置することができ、筐体２１０の高さに制約されることなく、冷媒パス数を増加させることができる。よって、熱交換器１００を流通する冷媒の圧力損失が低く抑えられ、高性能の空気調和機を得ることができる。
【００３４】
（冷媒分配特性）
次に、冷房運転時の冷媒分配特性を図８、図９を用いて説明する。
図８は実施の形態１に係る熱交換器の冷媒分配の現象説明図である。
図９は実施の形態１に係る熱交換器の冷媒分配特性を示す図である。
なお、図９の横軸は熱交換器１００の長手方向（ヘッダが延びる方向）の位置を示し、縦軸は冷媒圧力を示している。
図８のように、本実施の形態における熱交換器１００は、冷房運転時には、気液二相冷媒が液入口５（紙面左下）から液ヘッダ３内に流入し、複数の扁平管１を通って熱交換したガス冷媒がガスヘッダ４に流入し、ガス出口６（紙面右上）から流出される。このようなパラレルフロー構成とした場合、熱交換器１００に流入した二相冷媒は、慣性力で液ヘッダ３の奥側へ多く流れようとする。
一方、四方向カセット型の室内機２００では、ターボファン２０１を囲むように熱交換器１００を配置するため、熱交換器１００の長手方向（ヘッダが延びる方向）の長さが長くなる。このため液ヘッダ３での圧力損失が大きく、図９で示されるように、液入口５に近いパスの圧力Ｐｉ１とガス出口６に近いパスの圧力Ｐｉ３との圧力差が大きくなる。
同様に、ガスヘッダ４でも圧力Ｐｏ１と圧力Ｐｏ３とに圧力差が生じるが、気液二相状態での圧力損失がガス単相の圧力損失に比べて大きいため、図９に示すように、液入口５に近いパスでは冷媒流量の推進力となる圧力差ΔＰ１が大きくなり、冷媒流量Ｇｒ１は他に比べて大きくなる。逆に、液ヘッダ３の奥側（ガス出口６に近いパス）では、推進力となる圧力差ΔＰ３が低下して冷媒流量Ｇｒ３が低下する。
このため、慣性力による液ヘッダ３での流量の不均一と、圧力差による扁平管１での流量の不均一とが相殺されて、冷媒流量の自己調整機能が働き比較的均等分配が実現できる。
【００３５】
以上のように本実施の形態の室内機２００は、熱交換器１００の長手方向（ヘッダが延びる方向）に多数の扁平管１を配置し、冷媒パス数を増加させた場合でも、各扁平管１での冷媒流量の不均一を抑制することができる。
【００３６】
なお、仮に、不均等分配となる場合には、液ヘッダ３の流れ方向に、扁平管１の液ヘッダ３への差し込み長さを変えることで、扁平管１の入口での流動抵抗で各流量分配を調整するようにしても良い。
例えば、慣性力による液ヘッダ３での流量の不均一と、圧力差による扁平管１での流量の不均一とが相殺しきれずに、上流側の扁平管１の流量が大きくなる場合には、図９に示すように、扁平管１の液ヘッダ３への差し込み長さを、液ヘッダ３の流れ方向の上流側ほど長くなるようにする（ｘ３＞ｘ２＞ｘ１）。なお、差し込み長さの変更はこれに限らず、冷媒流量の不均一が生じる任意の扁平管１について適宜調整することができる。
【００３７】
なお、本実施の形態では、液ヘッダ３の片側（図１中の右側）に液入口５を設け、ガスヘッダ４の片側（図１中の左側）にガス出口６を設ける場合を説明したが、本発明はこれに限るものではない。液ヘッダ３の両端部を液入口（図１中の液入口５の左側も液入口）とし、ガスヘッダ４の両端部をガス出口（図１中のガス出口６の右側もガス出口）とする構成としても良い。
【００３８】
なお、暖房運転時は冷媒の流れが逆となり、ガス出口６から流入したガス冷媒は、ガスヘッダ４を通り、複数の扁平管１へ流入する。扁平管１に流入したガス冷媒は、周囲の空気へ放熱して自身は凝縮液化し、液ヘッダ３、液入口５の順に流れて室内機２００を流出する。
【００３９】
実施の形態２．
（室外機）
本実施の形態では、上述した熱交換器１００を室外機３００に搭載した形態について説明する。
なお、本実施の形態では、トップフロー型室外機を例に説明するが、本発明はこれに限定されるものではない。
【００４０】
図１１は実施の形態２に係るトップフロー型室外機の概観図である。
図１２は実施の形態２に係るトップフロー型室外機の概略縦断面図と概略平面図である。図１２（ａ）は概略縦断面図であり、図１２（ｂ）は概略平面図である。
図１１、図１２に示すように、トップフロー型の室外機３００は、箱状に形成された筐体３１０と、筐体３１０の側面の開口により形成されたユニット吸込口３０８と、ユニット吸込口３０８に沿うように筐体３１０内に配置された熱交換器１００と、筐体３１０の天面の開口により形成されたユニット吹出口３０９と、このユニット吹出口３０９を覆うように通風可能に設けられたファンガード３１１と、このファンガード３１１の内部に設置されたプロペラファン３１２とを備えている。なお、熱交換器１００は、上記実施の形態１と同様に、扁平管１が鉛直方向に配置されたパラレルフロー型熱交換器であり、接続配管により図示しない室内機と接続され冷媒が循環される。
この室外機３００は、例えばビル用マルチの室外機などに用いられ、ビルの屋上などに設置される。
なお、ユニット吸込口３０８を形成する筐体３１０の側面は、２面、３面、４面のいずれでも良い。また、ユニット吸込口３０８が形成される側面に応じて、熱交換器１００を適宜配置する。例えば、図１２（ｂ）に示すように、ユニット吸込口３０８を３面に形成する場合には、熱交換器１００をコ字状に形成する。
【００４１】
なお、「ユニット吸込口３０８」は、本発明における「吸込口」に相当する。
また、「ユニット吹出口３０９」は、本発明における「吹出口」に相当する。
また、「プロペラファン３１２」は、本発明における「送風機」に相当する。
【００４２】
このように構成された室外機３００により、プロペラファン３１２が回転すると、筐体３１０側面のユニット吸込口３０８から空気が吸い込まれ、熱交換器１００を通過後、垂直方向の流れとなって、筐体３１０上部に形成されたユニット吹出口３０９から上向きに吹き出される。このようなトップフロー型の構成では、プロペラファン３１２に近い部分の風量が多くなり、結果として熱交換器１００の高さ方向に風速（風量）分布が生じる。
【００４３】
仮に、扁平管１が水平方向に配置された場合、熱交換器１００の上部の冷媒パスと下部の冷媒パスとで熱交換量の不均一が生じる。このため、例えば暖房運転時に上部パス出口の冷媒が過熱状態となり、下部パス出口の冷媒が気液二相状態となる不均一分配が生じることとなる。
一方、本実施の形態における室外機３００は、熱交換器１００を、扁平管１の長手方向が鉛直方向に配置するパラレルフロー構成としたため、冷媒パス間で生じる不均一分配を防止できる。また、不均一分配を防止できるので、扁平管１を水平方向に配置する場合と比較して、冷媒のパス数を増加させることができる。よって、熱交換器１００を流通する冷媒の圧力損失が低く抑えられ、高性能の空気調和機を得ることができる。
【００４４】
また、本実施の形態の熱交換器１００は、上記実施の形態１と同様に、フィン表面で発生した結露水を排水溝１１に導きやすくすることができる。また、排水溝１１の一端を開放（自由表面）とすることができ、結露水に対する表面張力の影響を軽減することができる。よって、結露水の排水性を向上することができる。
【符号の説明】
【００４５】
１  扁平管、２  コルゲートフィン、２ａ  スリット、３  液ヘッダ、４  ガスヘッダ、５  液入口、６  ガス出口、１１  排水溝、２１  プレートフィン、２１ａ  切り欠き部、２１ｂ  フィンカラー、１００  熱交換器、２００  室内機、２０１  ターボファン、２０１ａ  ファン吸込口、２０１ｂ  ファン吹出口、２１０  筐体、２１０ａ  天板、２１０ｂ  側板、２１０ｃ  ユニット吸込口、２１０ｄ  ユニット吹出口、２１１  化粧パネル、２１１ａ  吸込グリル、２１１ｂ  パネル吹出口、２１２  フィルタ、２１３  風向ベーン、２１４  ベルマウス、２１５  ファンモーター、２１７  部屋、３００  室外機、３０８  ユニット吸込口、３０９  ユニット吹出口、３１０  筐体、３１１  ファンガード、３１２  プロペラファン。
【図１】
0005579134.tif 000002
【図２】
0005579134.tif 000003
【図３】
0005579134.tif 000004
【図４】
0005579134.tif 000005
【図５】
0005579134.tif 000006
【図６】
0005579134.tif 000007
【図７】
0005579134.tif 000008
【図８】
0005579134.tif 000009
【図９】
0005579134.tif 000010
【図１０】
0005579134.tif 000011
【図１１】
0005579134.tif 000012
【図１２】
0005579134.tif 000013